(57)【要約】【課題】固定接点に接続される端子の数を少なくすることができる複合入力装置の提供。【解決手段】センタープッシュ用可動接点３が常時接続する外側固定接点ＳＰａ、及びセンタープッシュ用可動接点３が接離する内側固定接点ＳＰｂと、方向入力用可動接点２が接離する方向入力用固定接点Ｓ１ａ〜Ｓ４ａ，ＳＡａ〜ＳＤａとを備え、内側固定接点ＳＰｂと、第１固定接点を形成する方向入力用固定接点ＳＡａとを電気的に接続するとともに、外側固定接点ＳＰａと、第２固定接点を形成する方向入力用固定接点ＳＣａとを電気的に接続した構成になっている。【選択図】図４
2008192312.tif 000002
【特許請求の範囲】
【請求項１】
センタープッシュ用可動接点と、センタープッシュ用の一対の固定接点と、上記センタープッシュ用可動接点とは電気的に独立した方向入力用可動接点と、この方向入力用可動接点と常時接続するコモン接点と、個別に形成される第１固定接点と第２固定接点を含み、上記方向入力用可動接点が接離する複数の方向入力用固定接点とを備え、
上記センタープッシュ用の一対の固定接点の一方と、上記方向入力用固定接点の上記第１固定接点とを電気的に接続するとともに、上記センタープッシュ用の一対の固定接点の他方と、上記方向入力用固定接点の上記第２固定接点とを電気的に接続したことを特徴とする複合入力装置。
【請求項２】
上記請求項１記載の発明において、
上記方向入力用固定接点を２個以上備え、
上記センタープッシュ用可動接点及び上記センタープッシュ用の一対の固定接点を挟んで、上記第１固定接点と上記第２固定接点とを互いに対向する位置に配置したことを特徴とする複合入力装置。
【請求項３】
上記請求項１記載の発明において、
上記方向入力用固定接点を４個以上備え、
上記第１固定接点と上記第２固定接点とを互いに隣接しない位置に配置したことを特徴とする複合入力装置。
【請求項４】
上記請求項１項記載の発明において、
上記センタープッシュ用の可動接点を電気的に独立させて上下２段に設け、上段のセンタープッシュ用の可動接点及び下段のセンタープッシュ用の可動接点のそれぞれと、上記複数の方向入力用固定接点のうちの互いに異なる方向入力用固定接点とを電気的に接続したことを特徴とする複合入力装置。
【請求項５】
上記請求項１〜４のいずれか１項記載の発明において、
上記コモン接点と、上記センタープッシュ用の一対の固定接点と、上記複数の方向入力用固定接点とが設けられ、角形状に形成されたハウジングを備えるとともに、このハウジングの隅部に上記コモン接点を配置したことを特徴とする複合入力装置。
【請求項６】
上記請求項５記載の発明において、
上記方向入力用可動接点の基本形状をリング形状に形成し、このリング形状に形成した方向入力用可動接点の開口を介して上記センタープッシュ用可動接点を操作可能に配置したことを特徴とする複合入力装置。
【発明の詳細な説明】
【技術分野】
【０００１】
本発明は、複数の方向入力用スイッチの内側にセンタープッシュ入力用スイッチを配置した複合入力装置に関する。
【背景技術】
【０００２】
この種の従来技術として、本願出願人は先に特許文献１に示すものを提案した。この従来技術は、外側に複数の方向入力用スイッチを備え、これらの方向入力用スイッチの内側に決定入力用のスイッチ、すなわちセンタープッシュ入力用スイッチを備えたものである。方向入力用スイッチのそれぞれは、常時コモン接点に接続される方向入力用可動接点と、この方向入力用可動接点への押圧操作に伴って、方向入力用可動接点が接離する方向入力用固定接点とから成り、センタープッシュ入力用スイッチは、ドーム状のセンタープッシュ用可動接点とセンタープッシュ用固定接点とから構成されている。
【０００３】
ハウジングには、上述したコモン接点及び方向入力用固定接点のそれぞれと、これらの方向入力用固定接点の内側の中央位置に配置されるセンタープッシュ用固定接点とが備えられている。センタープッシュ用固定接点は、一対の固定接点、すなわち常時センタープッシュ用可動接点が接続する外側固定接点と、センタープッシュ用可動接点への押圧操作に伴って、センタープッシュ用可動接点が接離する内側固定接点とから成っている。センタープッシュ用固定接点からの配線、すなわち端子は、隣り合う方向入力用固定接点の間に形成される領域から引き出されるようになっている。
【特許文献１】特開２００１−１９５９５６公報
【発明の開示】
【発明が解決しようとする課題】
【０００４】
上述した従来技術は、各方向入力用固定接点に接続される端子と、一対のセンタープッシュ用固定接点のそれぞれに接続される端子とを必要としており、端子の数が多く、それに相応した端子の配置領域を確保しなければならないことから、装置の小型化を実現できない問題があった。
【０００５】
本発明は、上述した従来技術における実状からなされたもので、その目的は、固定接点に接続される端子の数を少なくすることができる複合入力装置を提供することにある。
【課題を解決するための手段】
【０００６】
この目的を達成するために、本発明は、センタープッシュ用可動接点と、センタープッシュ用の一対の固定接点と、上記センタープッシュ用可動接点とは電気的に独立した方向入力用可動接点と、この方向入力用可動接点と常時接続するコモン接点と、個別に形成される第１固定接点と第２固定接点を含み、上記方向入力用可動接点が接離する複数の方向入力用固定接点とを備え、上記センタープッシュ用の一対の固定接点の一方と、上記方向入力用固定接点の上記第１固定接点とを電気的に接続するとともに、上記センタープッシュ用の一対の固定接点の他方と、上記方向入力用固定接点の上記第２固定接点とを電気的に接続したことを特徴としている。
【０００７】
このように構成した本発明は、センタープッシュ用固定接点の一方と、方向入力用固定接点の第１固定接点とを電気的に接続したことにより、センタープッシュ用固定接点の一方に接続される端子と、方向入力用固定接点の第１固定接点に接続される端子とを共通にすることができる。同様に、センタープッシュ用固定接点の他方と、方向入力用固定接点の第２固定接点とを電気的に接続したことにより、センタープッシュ用固定接点の他方に接続される端子と、方向入力用固定接点の第２固定接点に接続される端子とを共通にすることができる。これらにより、固定接点に接続される端子の数を少なくすることができる。
【０００８】
また、本発明は、上記発明において、上記方向入力用固定接点を２個以上備え、上記センタープッシュ用可動接点及び上記センタープッシュ用の一対の固定接点を挟んで、上記第１固定接点と上記第２固定接点とを互いに対向する位置に配置したことを特徴としている。
【０００９】
このように構成した本発明は、第１固定接点及び第２固定接点を含む２個以上の方向入力用固定接点と、センタープッシュ用固定接点を介して、２方向以上の入力とセンタープッシュ入力とを実施できる。また、方向入力用固定接点の第１固定接点と第２固定接点とを、センタープッシュ用可動接点、固定接点を挟んで対向するように離隔させて配置してあることから、方向入力用可動接点の押圧操作に際して、センタープッシュ用可動接点の押圧時におけるような第１固定接点と第２固定接点との導通を生じることがない。これにより、方向入力用可動接点の押圧操作の検出と、センタープッシュ用可動接点の押圧操作の検出との間の誤検出を生じることがない。
【００１０】
また、本発明は、上記発明において、上記方向入力用固定接点を４個以上備え、上記第１固定接点と上記第２固定接点とを互いに隣接しない位置に配置したことを特徴としている。
【００１１】
このように構成した本発明は、第１固定接点及び第２固定接点を含む４個以上の方向入力用固定接点と、センタープッシュ用固定接点を介して、４方向以上の入力とセンタープッシュ入力とを実施できる。また、方向入力用固定接点の第１固定接点と第２固定接点とを、互いに隣接しないように配置してあることから、方向入力用可動接点の押圧操作に際して、センタープッシュ用可動接点の押圧時におけるような第１固定接点と第２固定接点との導通を生じることがない。これにより、方向入力用可動接点の押圧操作の検出とセンタープッシュ用可動接点の押圧操作の検出との間の誤検出を生じることがない。
【００１２】
また、本発明は、上記発明において、上記センタープッシュ用の可動接点を電気的に独立させて上下２段に設け、上段のセンタープッシュ用の可動接点及び下段のセンタープッシュ用の可動接点のそれぞれと、上記複数の方向入力用固定接点のうちの互いに異なる方向入力用固定接点とを電気的に接続したことを特徴としている。このように構成した本発明は、センタープッシュ入力用スイッチを２個設けたことにより複合入力機能を向上させることができる。
【００１３】
また、本発明は、上記発明において、上記コモン接点と、上記センタープッシュ用の一対の固定接点と、上記複数の方向入力用固定接点とが設けられ、角形状に形成されたハウジングを備えるとともに、このハウジングの隅部に上記コモン接点を配置したことを特徴としている。このように構成した本発明は、デッドスペースを形成する角形状のハウジングの隅部をコモン接点の配置領域として有効に活用できる。
【００１４】
また、本発明は、上記発明において、上記方向入力用可動接点の基本形状をリング形状に形成し、このリング形状に形成した方向入力用可動接点の開口を介して上記センタープッシュ用可動接点を操作可能に配置したことを特徴としている。このように構成した本発明は、リング形状の方向入力用可動接点の内部をセンタープッシュ用可動接点の配置領域として有効に活用できる。
【発明の効果】
【００１５】
本発明は、センタープッシュ用の一対の固定接点のうちの一方の固定接点に接続される端子と、方向入力用固定接点の第１固定接点に接続される端子とを共通化できるとともに、センタープッシュ用の一対の固定接点のうちの他方の固定接点に接続される端子と、方向入力用固定接点の第２固定接点に接続される端子とを共通化できる。これによって固定接点に接続される端子の数を従来よりも少なくすることができ、従来に比べて端子の配置領域を小さくすることができ、装置の小型化を実現できる。
【発明を実施するための最良の形態】
【００１６】
以下，本発明に係る複合入力装置を実施するための最良の形態を図に基づいて説明する。
【００１７】
図１は本発明の複合入力装置の第１実施形態を示す分解斜視図、図２は図１に示す第１実施形態の縦断面図である。
【００１８】
これらの図１，２に示すように、本実施形態は、後述の各固定接点が設けられ、例えば角形状に形成されたハウジング１と、このハウジング１上に配置され、基本形状がリング状に形成され、金属板から成る方向入力用可動接点２と、この方向入力用可動接点２の開口の内部に配置され、金属材料から成るドーム状のセンタープッシュ用可動接点３を備えている。
【００１９】
また、方向入力用可動接点２を押圧操作する方向入力用駆動部材４と、センタープッシュ用可動接点３を押圧操作するセンタープッシュ用駆動部材５と、このセンタープッシュ用駆動部材５の上方向の移動を規制する下蓋部材６とを備えている。
【００２０】
また、例えばゴム体から成り、上述の方向入力用可動接点２及びセンタープッシュ用可動接点３の復帰力を許容させる復帰部材７と、この復帰部材７の上方向への移動を規制する上蓋部材８と、上述の方向入力用可動接点２及びセンタープッシュ用可動接点３の押圧操作を行なう操作つまみ９とを備えている。
【００２１】
［第１実施形態の要部構成］
図３は図１に示す第１実施形態の要部を形成するスイッチ部を示す平面図、図４は図１に示す第１実施形態に備えられるハウジングを示す平面図である。
【００２２】
図３に示すように、この第１実施形態は、中央位置に上述したセンタープッシュ用可動接点３を含むセンタープッシュ入力用スイッチＳＰを有し、このセンタープッシュ入力用スイッチＳＰの外側に、上述した方向入力用可動接点２によって形成される例えば８個の方向入力用スイッチＳ１，Ｓ２，Ｓ３，Ｓ４，ＳＡ，ＳＢ，ＳＣ，ＳＤを有している。これらのうち方向入力用スイッチＳ１と方向入力用スイッチＳ３は、同図３において前後方向に配置されている。方向入力用スイッチＳ４と方向入力用スイッチＳ２は左右方向に配置されている。また、方向入力用スイッチＳＡは、方向入力用スイッチＳ１とＳ２との間に配置してあり、方向入力用スイッチＳＢは、方向入力用スイッチＳ２とＳ３との間に配置してある。方向入力用スイッチＳＣは方向入力用スイッチＳ３とＳ４との間に配置してあり、方向入力用スイッチＳＤは方向入力用スイッチＳ４とＳ１との間に配置してある。すなわち、これらの方向入力用スイッチＳ１〜Ｓ４，ＳＡ〜ＳＤは、方向入力用可動接点２のリング形状に沿うように、同一円周上に等間隔で配置してある。
【００２３】
センタープッシュ用可動接点３及び方向入力用可動接点２を除いた図４に示すように、この第１実施形態は、上述したセンタープッシュ入力用スイッチＳＰに含まれる一対の固定接点、すなわち２つの外側固定接点ＳＰａと、１つの内側固定接点ＳＰｂとを備えている。上述のセンタープッシュ用可動接点３は、２つの外側固定接点ＳＰａに常時接続され、内側固定接点ＳＰｂに対し接離するようになっている。
【００２４】
上述した方向入力用スイッチＳ１，Ｓ２，Ｓ３，Ｓ４，ＳＡ，ＳＢ，ＳＣ，ＳＤに含まれる各固定接点Ｓ１ａ，Ｓ２ａ，Ｓ３ａ，Ｓ４ａ，ＳＡａ，ＳＢａ，ＳＣａ，ＳＤａのそれぞれは、上述の方向入力用可動接点２が接離するようになっている。なお、この方向入力用可動接点２は、ハウジング１の４つの隅部のそれぞれに配置されたコモン接点ＣＯａに常時接続されている。
【００２５】
特に、この第１実施形態は、センタープッシュ用の一対の固定接点の一方、例えば内側固定接点ＳＰｂと、上述の８個の方向入力用固定接点のうちの第１固定接点、例えば方向入力用スイッチＳＡに含まれる方向入力用固定接点ＳＡａとを電気的に接続してある。また、センタープッシュ用の一対の固定接点の他方、すなわち外側固定接点ＳＰａと、上述の８個の方向入力用固定接点のうちの第１固定接点とは別に形成される第２固定接点、例えば方向入力用スイッチＳＣに含まれる方向入力用固定接点ＳＣａとを電気的に接続してある。
【００２６】
図４に示すように、センタープッシュ用可動接点３及びセンタープッシユ用の外側固定接点ＳＰａ、内側固定接点ＳＰｂを挟んで、第１固定接点を形成する方向入力用固定接点ＳＡａと、第２固定接点を形成する方向入力用固定接点ＳＣａとを互いに対向する位置に配置してある。すなわち、第１固定接点を形成する方向入力用固定接点ＳＡａと、第２固定接点を形成する方向入力用固定接点ＳＣａとを互いに隣接しない位置に配置してある。
【００２７】
また、第１固定接点を形成する方向入力用固定接点ＳＡａは端子Ｔ２に接続してあり、第２固定接点を形成する方向入力用固定接点ＳＣａは端子Ｔ６に接続してある。その他の方向入力用固定接点Ｓ１ａは端子Ｔ１に、方向入力用固定接点Ｓ２ａは端子Ｔ３に、方向入力用固定接点ＳＢａは端子Ｔ４に、方向入力用固定接点Ｓ３ａは端子Ｔ５に、方向入力用固定接点Ｓ４ａは端子Ｔ７に、方向入力用固定接点ＳＤａは端子Ｔ８に、それぞれ接続してある。
【００２８】
なお、４つのコモン接点ＣＯａのそれぞれは、ハウジング１の隅部近傍に設けたコモン端子ＣＯのそれぞれに接続してある。
【００２９】
［第１実施形態のスイッチ回路］
図５は図１に示す第１実施形態に備えられるスイッチ回路を示す平面図である。
【００３０】
上述のように構成したことにより、この図５に示すように、コモン端子ＣＯと、端子Ｔ１〜Ｔ８との間に、それぞれ方向入力用スイッチＳ１，ＳＡ，Ｓ２，ＳＢ，Ｓ３，ＳＣ，Ｓ４，ＳＤが配置され、また、端子Ｔ２と端子Ｔ６との間に、センタープッシユ入力用スイッチＳＰが配置されている。上述のスイッチ回路は、図示せぬ制御装置と接続されて用いられ、制御装置内のスイッチング切換えによってコモン端子ＣＯとＴ６とに交互に信号を入力し、その際の端子Ｔ１からＴ８の出力を検出することで、方向入力とセンタープッシュ入力の何れの操作がなされたかが制御装置のマイコン等により判断される。すなわち、先にコモン端子ＣＯに信号を入力した際に、端子Ｔ１からＴ８の何れかの出力変化を検出した場合、当該端子の接続された方向入力用スイッチが操作されたと判断し、操作方向を決定する。次に、端子Ｔ６に信号を入力した際に、端子Ｔ２の出力変化を検出した場合、センタープッシュ用スイッチＳＰが操作されたと判断する。
【００３１】
［第１実施形態の動作］
図６は図１に示す第１実施形態の動作を示す縦断面図である。
【００３２】
この図６に示すように、操作つまみ９を復帰部材７の復帰力に抗して例えば同図における左方向に向かって押圧操作すると、方向入力用駆動部材４がリング状の方向入力用可動接点２の左側部分を押し、これによって方向入力用可動接点２が図４に示す方向入力用固定接点Ｓ４ａに接続、すなわち導通する。これによって図３に示す方向入力用スイッチＳ４がオンとなる。
【００３３】
また、操作つまみ９に加えていた押圧力を除くと、方向入力用可動接点２の保有する復帰力、及び復帰部材７の保有する復帰力により、操作つまみ９は、図２に示す初期形態に復帰する。これにより、方向入力用可動接点２は方向入力用固定接点Ｓ４ａから離れ、図３に示す方向入力用スイッチＳ４はオフとなる。
【００３４】
図１等に示す操作つまみ９を図３の右方向、あるいは前方向、後方向に向かって押圧することにより、方向入力用スイッチＳ２、あるいは方向入力用スイッチＳ１，Ｓ３がオンとなり、押圧力を除くことにより、これらの方向入力用スイッチＳ２，Ｓ１，Ｓ３はオフとなる。
【００３５】
同様に、図１等に示す操作つまみ９を図３の斜め右上方向、斜め右下方向、斜め左下方向、斜め左上方向に押圧することにより、方向入力用スイッチＳＡ，ＳＢ，ＳＣ，ＳＤがオンとなり、押圧力を除くことにより、これらの方向入力用スイッチＳＡ，ＳＢ，ＳＣ，ＳＤはオフとなる。
【００３６】
また、図１等に示す操作つまみ９の中央部分を押すと、図３に示すセンタープッシュ用可動接点３が、図４に示す内側固定接点ＳＰｂに接続、すなわち導通し、図３に示すセンタープッシュ入力用スイッチＳＰはオンとなる。押圧力を除くとセンタープッシュ用可動接点３が内側固定接点ＳＰｂから離れ、センタープッシュ入力用スイッチＳＰはオフとなる。
【００３７】
このように、第１実施形態は、８個の方向入力用スイッチＳ１〜Ｓ４、ＳＡ〜ＳＤに応じて８方向の入力操作を実施できるとともに、センタープッシュ入力用スイッチＳＰに応じてセンタープッシュ入力を実施できる。
【００３８】
［第１実施形態の効果］
この第１実施形態によれば、センタープッシュ用固定接点の一方、すなわち内側固定接点ＳＰｂと、第１固定接点を形成する方向入力用固定接点ＳＡａとを電気的に接続したことにより、センタープッシュ用固定接点の内側固定接点ＳＰｂに接続される端子と、第１固定接点を形成する方向入力用固定接点ＳＡａに接続される端子とを、端子Ｔ２として共通にすることができる。同様に、センタープッシュ用固定接点の他方、すなわち外側固定接点ＳＰａと、第２固定接点を形成する方向入力用固定接点ＳＣａとを電気的に接続したことにより、センタープッシュ用固定接点の外側固定接点ＳＰａに接続される端子と、第２固定接点を形成する方向入力用固定接点ＳＣａに接続される端子とを、端子Ｔ６として共通にすることができる。これらにより、この第１実施形態は、固定接点に接続される端子の数を少なくすることができ、端子の配置領域を小さくすることができ、装置の小型化を実現させることができる。
【００３９】
また、第１固定接点を形成する方向入力用固定接点ＳＡａと、第２固定接点を形成する方向入力用固定接点ＳＣａとを、センタープッシュ入力用スイッチＳＰの可動接点３、及び外側固定接点ＳＰａ、内側固定接点ＳＰｂを挟んで対向するように離隔させて配置してあることから、方向入力用可動接点２の押圧操作に際し、センタープッシュ用可動接点３の押圧時におけるような、第１固定接点を形成する方向入力用固定接点ＳＡａと、第２固定接点を形成する方向入力用固定接点ＳＣａとが導通する懸念がない。例えば、図３に示す方向入力用スイッチＳＡと方向入力用スイッチＳ１との間の方向に向かうように操作つまみ９が押圧操作された時には、方向入力用スイッチＳＡと方向入力用スイッチＳ１とがオンとなるものの、図４に示す方向入力用固定接点ＳＡａと、方向入力用固定接点ＳＣａとが導通しない状態に保つことができる。これにより、この第１実施形態では、方向入力用可動接点２の押圧操作の検出と、センタープッシュ用可動接点３の押圧操作の検出との間の誤検出を生じることがなく、信頼性の高い装置とすることができる。
【００４０】
また、ハウジング１の４つの隅部のそれぞれにコモン接点ＣＯａを配置したことから、デッドスペースを形成する角形状のハウジング１の４つの隅部をコモン接点ＣＯａの配置領域として有効に活用でき、装置の小型化に貢献する。
【００４１】
また、リング形状の方向入力用可動接点２の内部をセンタープッシュ用可動接点３の配置領域として有効に活用でき、この点でも装置の小型化に貢献する。
【００４２】
［第２実施形態の要部構成］
図７は本発明の第２実施形態の要部を形成するスイッチ部を示す平面図、図８は図７に示す第２実施形態に備えられるハウジングを示す平面図である。
【００４３】
これらの図７，８に示す第２実施形態は、センタープッシュ用可動接点を電気的に独立させて上下２段に設け、上段のセンタープッシュ用可動接点、及び下段のセンタープッシュ用可動接点のそれぞれと、複数、例えば８個の方向入力用固定接点のうちの互いに異なる方向入力用固定接点とを電気的に接続したものである。
【００４４】
例えば、上述した第１実施形態におけるセンタープッシュ用可動接点３、すなわち外側固定接点ＳＰａを介して常時、方向入力用固定接点ＳＣａに接続されるセンタープッシュ用可動接点３の上に、このセンタープッシュ用可動接点３とは電気的に独立させて図７に示す十字形状のセンタープッシュ用可動接点３Ａを別に設け、このセンタープッシュ用可動接点３Ａが常時接続される図８に示す固定接点ＳＰＡａと、例えば方向入力用固定接点ＳＢａとを電気的に接続した構成にしてある。これらにより、図７に示すように、下段のセンタープッシュ入力用スイッチＳＰの上に、もう１つのセンタープッシュ入力用スイッチＳＰＡが備えられている。その他の構成は、例えば上述の第１実施形態と同等である。
【００４５】
［第２実施形態のスイッチ回路］
このように構成した第２実施形態は、図９に示すように、第１実施形態におけるのと同様の８個の方向入力用スイッチＳ１，ＳＡ，Ｓ２，ＳＢ，Ｓ３，ＳＣ，Ｓ４，ＳＤを設けることができるとともに、端子Ｔ４と端子Ｔ６とに接続される上段のセンタープッシュ入力用スイッチＳＰＡと、端子Ｔ４と端子Ｔ２とに接続される下段のセンタープッシュ入力用スイッチＳＰとを設けることができる。上述のスイッチ回路は、図示せぬ制御装置と接続されて用いられ、制御装置内のスイッチング切換えによってコモン端子ＣＯとＴ４とに交互に信号を入力し、その際の端子Ｔ１からＴ８の出力を検出することで、方向入力とセンタープッシュ入力の何れの操作がなされたかが制御装置のマイコン等により判断される。すなわち、先にコモン端子ＣＯに信号を入力した際に、端子Ｔ１からＴ８の何れかの出力変化を検出した場合、当該端子の接続された方向入力用スイッチが操作されたと判断し、操作方向を決定する。次に、端子Ｔ４に信号を入力した際に、端子Ｔ２とＴ６双方の出力変化を検出した場合、センタープッシュ用スイッチＳＰが操作されたと判断し、端子Ｔ６のみの出力変化を検出した場合は、センタープッシュ用スイッチＳＰＡが操作されたと判断する。
【００４６】
［第２実施形態の動作］
上段のセンタープッシュ入力用スイッチＳＰＡのセンタープッシュ用可動接点３Ａのみの押圧操作により、このセンタープッシュ用可動接点３Ａが、方向入力用固定接点ＳＣａに常時接続されるセンタープッシュ用可動接点３に接触し、これによってセンタープッシュ用可動接点３Ａが常時接続される固定接点ＳＰＡａと導通する方向入力用固定接点ＳＢａと、方向入力用固定接点ＳＣａとが接続、すなわち導通して上段のセンタープッシュ入力用スイッチＳＰＡがオンとなる。
【００４７】
この状態からセンタープッシュ用可動接点３Ａに加えていた押圧力を除くと、センタープッシュ用可動接点３Ａがセンタープッシュ用可動接点３から離れ、上段のセンタープッシュ入力用スイッチＳＰＡがオフとなる。
【００４８】
また、センタープッシュ入力用スイッチＳＰＡを上述のときよりも強く押圧して、センタープッシュ用可動接点３Ａを介して、センタープッシュ用可動接点３とセンタープッシュ用の一対の固定接点のうちの内側固定接点ＳＰｂとを接続、すなわち導通させると、上段のセンタープッシュ入力用スイッチＳＰＡとともに、下段のセンタープッシュ入力用スイッチＳＰがオンとなる。
【００４９】
この状態から例えば押圧力を弱くして、センタープッシュ用可動接点３と内側固定接点ＳＰｂとの接続を解除させると、下段のセンタープッシュ入力用スイッチＳＰがオフとなる。
【００５０】
［第２実施形態の効果］
このように構成した第２実施形態も、上述した第１実施形態におけるのと同様に、下段のセンタープッシュ用固定接点、すなわち内側固定接点ＳＰｂ、外側固定接点ＳＰａの端子と、第１固定接点を形成する方向入力用固定接点ＳＡａ、第２固定接点を形成する方向入力用固定接点ＳＣａの端子とを、それぞれ端子Ｔ２，Ｔ６として共通にすることができる。また、上段のセンタープッシュ用の固定接点ＳＰＡａの端子と方向入力用固定接点ＳＢａの端子とを端子Ｔ４として共通にすることができる。これらにより、センタープッシュ入力用スイッチを上下２段設けたものにあって、端子の数を少なくすることができ、これに伴って端子の配置領域を小さくすることができ、装置の小型化を実現させることができる。
【００５１】
また、上述の第１実施形態におけるのと同様に、方向入力用可動接点２の押圧操作の検出と、下段のセンタープッシュ用可動接点３の押圧操作の検出との間の誤検出を防止できる。そして特に、この第２実施形態は、下段のセンタープッシュ用可動接点３が常時接続する外側固定接点ＳＰａに導通する方向入力用固定接点ＳＣａと、上段のセンタープッシュ用可動接点３Ａが常時接続する固定接点ＳＰＡａに導通する方向入力用固定接点ＳＢａとを互いに隣接しない位置に、つまり端子Ｔ５に接続される固定接点Ｓ３ａを間に挟むようにして配置したことから、方向入力用可動接点２の押圧操作に際して、上段のセンタープッシュ用可動接点３Ａの押圧時におけるような、方向入力用固定接点ＳＣａとＳＢａとの導通を生じる懸念がない。これにより、方向入力用可動接点２の押圧操作の検出と、上段のセンタープッシュ用可動接点３Ａの押圧操作の検出との間にあっても誤検出を生じることがなく、信頼性の高い装置とすることができる。
【００５２】
さらに、この第２実施形態では、センタープッシュ入力用スイッチが２個のセンタープッシュ入力用スイッチＳＰＡ，ＳＰから成るので複合入力機能を向上させることができ、汎用性に優れた装置とすることができる。
【００５３】
［他の実施形態］
上述した第１，第２実施形態は、方向入力用固定接点を８個備えた構成にしてあるが、本発明は、このように方向入力用固定接点を８個備えることには限定されない。例えば方向入力用固定接点を２個設けてもよく、あるいは４個設けてもよい。
【００５４】
方向入力用固定接点を２個以上設ける場合には、それらの方向入力用固定接点のうちの第１固定接点と第２固定接点とを、センタープッシュ用可動接点３及びセンタープッシュ用の固定接点である外側固定接点ＳＰａ、内側固定接点ＳＰｂを挟んで、互いに対向する位置に配置した構成にすると良く、このように構成したものでは、方向入力用固定接点を２個以上設けたものにあって上述した方向入力用可動接点２とセンタープッシュ用可動接点３との間の誤検出を防止できる。
【００５５】
また、方向入力用固定接点を４個以上設ける場合には、それらの方向入力用固定接点のうちの第１固定接点と、第２固定接点とを互いに隣接しない位置に配置した構成にすると良く、このように構成したものでは、上述した方向入力用可動接点２とセンタープッシュ用可動接点３との間の誤検出を防止できる。
【図面の簡単な説明】
【００５６】
【図１】本発明の複合入力装置の第１実施形態を示す分解斜視図である。
【図２】図１に示す第１実施形態の縦断面図である。
【図３】図１に示す第１実施形態の要部を形成するスイッチ部を示す平面図である。
【図４】図１に示す第１実施形態に備えられるハウジングを示す平面図である。
【図５】図１に示す第１実施形態に備えられるスイッチ回路を示す図である。
【図６】図１に示す第１実施形態の動作を示す縦断面図である。
【図７】本発明の第２実施形態の要部を形成するスイッチ部を示す平面図である。
【図８】図７に示す第２実施形態に備えられるハウジングを示す平面図である。
【図９】図７に示す第２実施形態に備えられるスイッチ回路を示す図である。
【符号の説明】
【００５７】
１    ハウジング
２    方向入力用可動接点
３    センタープッシュ用可動接点
３Ａ  センタープッシュ用可動接点
４    方向入力用駆動部材
５    センタープッシュ用駆動部材
６    下蓋部材
７    復帰部材
８    上蓋部材
９    操作つまみ
ＣＯ    コモン端子
ＣＯａ  コモン接点
Ｓ１    方向入力用スイッチ
Ｓ１ａ  方向入力用固定接点
ＳＡ    方向入力用スイッチ
ＳＡａ  方向入力用固定接点（第１固定接点）
Ｓ２    方向入力用スイッチ
Ｓ２ａ  方向入力用固定接点
ＳＢ    方向入力用スイッチ
ＳＢａ  方向入力用固定接点
Ｓ３    方向入力用スイッチ
Ｓ３ａ  方向入力用固定接点
ＳＣ    方向入力用スイッチ
ＳＣａ  方向入力用固定接点（第２固定接点）
Ｓ４    方向入力用スイッチ
Ｓ４ａ  方向入力用固定接点
ＳＤ    方向入力用スイッチ
ＳＤａ  方向入力用固定接点
ＳＰ    センタープッシュ入力用スイッチ
ＳＰａ  外側固定接点
ＳＰｂ  内側固定接点
ＳＰＡ  センタープッシュ入力用スイッチ
ＳＰＡａ  固定接点
Ｔ１    端子
Ｔ２    端子
Ｔ３    端子
Ｔ４    端子
Ｔ５    端子
Ｔ６    端子
Ｔ７    端子
Ｔ８    端子
【図１】
2008192312.tif 000003
【図２】
2008192312.tif 000004
【図３】
2008192312.tif 000005
【図４】
2008192312.tif 000006
【図５】
2008192312.tif 000007
【図６】
2008192312.tif 000008
【図７】
2008192312.tif 000009
【図８】
2008192312.tif 000010
【図９】
2008192312.tif 000011